(57)【要約】【課題】互いに異なる色を発光する複数の有機層を積層した発光装置において、発光色を変化しにくくする。【解決手段】第１構造物１８２は、第１電極１１０、第１有機層１２２、電荷発生層１２４、及び第２有機層１２６を有している。第１有機層１２２及び第２有機層１２６は、いずれも電流が流れると発光する。第１有機層１２２は第１の色で発光し、第１有機層１２２は第２の色で発光する。第２構造物１８４は、絶縁層１６０、電荷発生層１２４、及び第２有機層１２６を備えている。第１構造物１８２の電荷発生層１２４と、第２構造物１８４の電荷発生層１２４は繋がっている。また発光装置１０は、第２電極１３０を有している。第２電極１３０は第１構造物１８２と第２構造物１８４の上に連続して形成されている。【選択図】図１
2020061384.tif 000002
【特許請求の範囲】
【請求項１】
基板と、
前記基板に設けられた第１構造物と、
前記基板に設けられ、前記第１構造物に並んでいる第２構造物と、
を備え、
前記第１構造物は、
第１電極と、
前記第１電極より上に形成され、第１の色で発光する第１有機層と、
前記第１有機層より上に形成された電荷発生層と、
前記電荷発生層より上に形成され、第２の色で発光する第２有機層と、
を有し、
前記第２構造物は、
透光性の絶縁層と、
前記絶縁層より上に形成された前記電荷発生層と、
前記電荷発生層より上に形成された前記第２有機層と、
を有し、
前記第２構造物の前記電荷発生層は前記第１構造物の前記電荷発生層と繋がっており、
さらに、前記第１構造物上及び前記第２構造物上に連続して形成された第２電極を備える発光装置。
【発明の詳細な説明】
【技術分野】
【０００１】
本発明は、発光装置に関する。
【背景技術】
【０００２】
近年は、発光素子として有機ＥＬ（Organic Electroluminescence）素子を有する発光装置の開発が進んでいる。有機ＥＬ素子は、有機層を、第１電極と、第２電極とで挟んだ構成を有している。有機ＥＬ素子を有する発光装置には、例えば照明装置や表示装置がある。
【０００３】
特許文献１，２には、有機ＥＬ素子を有する表示装置が記載されている。例えば特許文献１、２の表示装置は、緑色の発光素子、青色の発光素子、及び赤色の発光素子を繰り返し有している。そして特許文献１において、各発光素子は、下部電極と同一層からなる構造物によって囲まれている。有機層は、この構造物の側面及び上面にも形成されている。また特許文献２において、各発光素子の間には遮光部が形成されている。
【先行技術文献】
【特許文献】
【０００４】
【特許文献１】特開２０１４−１７５１６５号公報
【特許文献２】特開２０１４−１８３０２５号公報
【発明の概要】
【発明が解決しようとする課題】
【０００５】
発光装置の一つに、複数の発光部を並べ、かつ、複数の発光部のそれぞれにおいて、複数の発光層を積層したものがある。一方、複数の発光部を有する発光装置は、隣り合う発光部を区画する絶縁層を有している。発光装置のうちこの絶縁層と重なる領域は非発光領域となっていた。このため、発光装置の発光量は少なくなっていた。
【０００６】
本発明が解決しようとする課題としては、複数の発光部を並べ、かつ、複数の発光部のそれぞれにおいて複数の有機層を積層した発光装置において、光量を増大させることが一例として挙げられる。
【課題を解決するための手段】
【０００７】
第１の発明は、基板と、
前記基板に設けられた第１構造物と、
前記基板に設けられ、前記第１構造物に並んでいる第２構造物と、
を備え、
前記第１構造物は、
第１電極と、
前記第１電極より上に形成され、第１の色で発光する第１有機層と、
前記第１有機層より上に形成された電荷発生層と、
前記電荷発生層より上に形成され、第２の色で発光する第２有機層と、
を有し、
前記第２構造物は、
透光性の絶縁層と、
前記絶縁層より上に形成され、前記電荷発生層と、
前記電荷発生層より上に形成された前記第２有機層と、
を有し、
前記第２構造物の前記電荷発生層は前記第１構造物の前記電荷発生層と繋がっており、
さらに、前記第１構造物上及び前記第２構造物上に連続して形成された第２電極を備える発光装置である。
【０００８】
第２の発明は、基板と、
前記基板に形成された第１電極と、
前記第１電極に設けられた導電性の第１構造物と、
前記基板に設けられ、前記第１構造物に並んでいる絶縁層と、
前記絶縁層上及び前記第１構造物上に連続して形成された電荷発生層と、
前記絶縁層と重なる領域に位置する前記電荷発生層の上に形成され、発光層を含む有機層と、
前記有機層上に形成された第２電極と、
を備える発光装置である。
【図面の簡単な説明】
【０００９】
【図１】実施形態に係る発光装置の構成を示す断面図である。
【図２】実施例１に係る発光装置の構成を示す平面図である。
【図３】図２から第２電極を取り除いた図である。
【図４】図３から有機層を取り除いた図である。
【図５】図４のＡ−Ａ断面図である。
【図６】実施例２に係る発光装置の平面図である。
【図７】図６のＢ−Ｂ断面図である。
【図８】図６のＣ−Ｃ断面図である。
【図９】導電層の縁から絶縁層の縁までの距離と、第２構造物と重なる領域における発光装置の輝度の関係を測定した結果を示す図である。
【図１０】実施例３に係る発光装置の平面図である。
【図１１】図１０のＢ−Ｂ断面図である。
【図１２】参考例に係る発光装置の構成を示す断面図である。
【発明を実施するための形態】
【００１０】
以下、本発明の実施の形態について、図面を用いて説明する。尚、すべての図面において、同様な構成要素には同様の符号を付し、適宜説明を省略する。
【００１１】
図１は、実施形態に係る発光装置１０の構成を示す断面図である。本実施形態に係る発光装置１０は、基板１００、第１構造物１８２、及び第２構造物１８４を備えている。第１構造物１８２は、基板１００に設けられており、第１電極１１０、第１有機層１２２、電荷発生層１２４、及び第２有機層１２６を有している。第１有機層１２２は第１電極１１０より上に位置している。電荷発生層１２４は第１有機層１２２より上に位置しており、第２有機層１２６は電荷発生層１２４より上に位置している。第１有機層１２２及び第２有機層１２６は、いずれも電流が流れると発光する。第１有機層１２２は例えば第１の色で発光し、第２有機層１２６は例えば第２の色で発光する。ただし、第１有機層１２２の発光色と第２有機層１２６の発光色は同一であってもよい。第２構造物１８４は、基板１００に設けられており、絶縁層１６０、電荷発生層１２４、及び第２有機層１２６を備えている。第２構造物１８４において、電荷発生層１２４は絶縁層１６０より上に位置しており、また、第２有機層１２６は電荷発生層１２４より上に位置している。第１構造物１８２の電荷発生層１２４と、第２構造物１８４の電荷発生層１２４は繋がっている。また発光装置１０は、第２電極１３０を有している。第２電極１３０は第１構造物１８２と第２構造物１８４の上に連続して形成されている。具体的には、第２電極１３０は、第２有機層１２６の上に形成されている。
【００１２】
別の見方をすれば、第２構造物１８４の第２有機層１２６は、電荷発生層１２４及び導電性の第１構造物１８２を介して第１電極１１０と接続している。以下、詳細に説明する。
【００１３】
基板１００は、例えばガラス基板や樹脂基板などの透光性を有する基板である。基板１００は可撓性を有していてもよい。可撓性を有している場合、基板１００の厚さは、例えば１０μｍ以上１０００μｍ以下である。基板１００は、例えば矩形などの多角形である。基板１００が樹脂基板である場合、基板１００は、例えばＰＥＮ（ポリエチレンナフタレート）、ＰＥＳ（ポリエーテルサルホン）、ＰＥＴ（ポリエチレンテレフタラート）、又はポリイミドを用いて形成されている。また、基板１００が樹脂基板である場合、水分が基板１００を透過することを抑制するために、基板１００の少なくとも一面（好ましくは両面）に、ＳｉＮｘやＳｉＯＮなどの無機バリア膜が形成されている。
【００１４】
第１電極１１０は、光透過性を有する透明電極である。透明電極の材料は、金属を含む材料、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＷＺＯ（Ｉｎｄｉｕｍ  Ｔｕｎｇｓｔｅｎ  Ｚｉｎｃ  Ｏｘｉｄｅ）、ＺｎＯ（Ｚｉｎｃ  Ｏｘｉｄｅ）等の金属酸化物である。第１電極１１０の厚さは、例えば１０ｎｍ以上５００ｎｍ以下である。第１電極１１０は、例えばスパッタリング法又は蒸着法を用いて形成される。なお、第１電極１１０は、カーボンナノチューブ、又はＰＥＤＯＴ／ＰＳＳなどの導電性有機材料であってもよい。
【００１５】
有機層１２０は、上記した第１有機層１２２、電荷発生層１２４、及び第２有機層１２６を有している。第１有機層１２２及び第２有機層１２６は、例えば、正孔注入層、発光層、及び電子注入層をこの順に積層させた構成を有している。正孔注入層と発光層との間には正孔輸送層が形成されていてもよい。また、発光層と電子注入層との間には電子輸送層が形成されていてもよい。ここで、第１有機層１２２の発光層を構成する材料は、第２有機層の発光層を構成する材料と同一であってもよいし、異なっていてもよい。
【００１６】
電荷発生層１２４は、第１有機層１２２と電荷発生層１２４の間に位置しており、第１有機層１２２に正孔および電子の一方（第１電極１１０が正極の場合は電子）を、第２有機層１２６に正孔および電子の他方（有機層１２０が陰極の場合は正孔）を、それぞれ供給する。電荷発生層１２４は、第１構造物１８２と第２構造物１８４とで連続して形成されている。
【００１７】
有機層１２０を構成する各層は、蒸着法で形成されてもよい。また、有機層１２０のうち少なくとも一つの層、例えば第１有機層１２２は、インクジェット法、印刷法、又はスプレー法などの塗布法によって形成されてもよい。残りの層も同様にして形成してもよくまたは、蒸着法によって形成されていてもよい。また、有機層１２０のすべての層が、塗布法を用いて形成されていてもよい。
【００１８】
第２電極１３０は、例えば、Ａｌ、Ａｕ、Ａｇ、Ｐｔ、Ｍｇ、Ｓｎ、Ｚｎ、及びＩｎからなる第１群の中から選択される金属、又はこの第１群から選択される金属の合金からなる金属層を含んでいる。この場合、第２電極１３０は遮光性を有している。第２電極１３０の厚さは、例えば１０ｎｍ以上５００ｎｍ以下である。ただし、第２電極１３０は、第１電極１１０の材料として例示した材料を用いて形成されていてもよい。第２電極１３０は、例えばスパッタリング法又は蒸着法を用いて形成される。
【００１９】
そして、発光装置１０は第１構造物１８２及び第２構造物１８４を有している。第１構造物１８２は、第１電極１１０と第２電極１３０の間に位置しており、第１有機層１２２、電荷発生層１２４、及び第２有機層１２６を有している。第１構造物１８２の第１有機層１２２は第１電極１１０に接しており、第１構造物１８２の第２有機層１２６は第２電極１３０に接している。このように、第１構造物１８２は、いわゆるタンデム構造を有している。そして第１電極１１０と第２電極１３０の間に電流が流れた場合、第１構造物１８２の第１有機層１２２及び第２有機層１２６は発光する。第１有機層１２２の発光色と第２有機層１２６の発光色が異なる場合、第１構造物１８２の発光色は、第１有機層１２２の発光色と第２有機層１２６の発光色を混ぜた色になる。
【００２０】
一方、第２構造物１８４は、第１構造物１８２に並んでおり、絶縁層１６０、電荷発生層１２４、及び第２有機層１２６を有している。絶縁層１６０は、例えばポリイミド、エポキシ、アクリルやノボラック系の樹脂であり、また、透光性を有している。絶縁層１６０を形成する一例として、感光性ポリイミドを塗布成膜した後に、フォトリソグラフィ法で形成する方法がある。本図に示す例において、電荷発生層１２４と絶縁層１６０の間には第１有機層１２２が形成されている。ただし、第２構造物１８４の第１有機層１２２は第１電極１１０に接していない。その代わりに、上記したように、第２構造物１８４の電荷発生層１２４は第１構造物１８２の電荷発生層１２４と連続している。このため、第２構造物１８４の第１有機層１２２が第１電極１１０に接していないにもかかわらず、第１構造物１８２に供給された電流の一部は電荷発生層１２４を介して第２構造物１８４の第２有機層１２６に供給される。これにより、第２構造物１８４の第２有機層１２６は発光する。一方、第２構造物１８４の第１有機層１２２はほとんど発光しない。このため、第１有機層１２２の発光色と第２有機層１２６の発光色が異なる場合であっても、第２構造物１８４の発光色は、第２有機層１２６の発光色になる。
【００２１】
また、第２構造物１８４の幅は、例えば２００μｍ以下であり、また、第１構造物１８２の幅と第２構造物１８４の幅は、開口率が例えば７５％以上となる様にそれぞれ設計される。このため、第２構造物１８４からの発光は、第１構造物１８２からの発光と混ざる。そして発光装置１０のユーザは、第１構造物１８２及び第２構造物１８４を一つの発光領域として認識する。
【００２２】
なお、図１に示す例において、第１電極１１０は複数に分断されており、また、絶縁層１６０は第１電極１１０の間に位置している。ただし、第１電極１１０は連続していてもよい。この場合、絶縁層１６０は第１電極１１０の上に位置する。
【００２３】
次に、発光装置１０の製造方法を説明する。まず、基板１００上に第１電極１１０を形成する。次いで、絶縁層１６０、有機層１２０、及び第２電極１３０をこの順に形成する。
【００２４】
次に、本実施形態に示した発光装置１０の動作について説明する。第１電極１１０と第２電極１３０の間に電圧を印加すると、上記したように、第１構造物１８２の第１有機層１２２、電荷発生層１２４、及び第２有機層１２６に電流が流れる。これにより、第１構造物１８２の第１有機層１２２及び第２有機層１２６は発光する。一方、第２構造物１８４の第２有機層１２６には、第１構造物１８２の第１有機層１２２、及び電荷発生層１２４を介して電流が流れる。これにより、第２構造物１８４の第２有機層１２６は発光する。
【００２５】
ここで、第１構造物１８２の第１有機層１２２を流れた電流の一部は、第１構造物１８２の第２有機層１２６に流れずに、第２構造物１８４の第２有機層１２６に流れる。このため、第２構造物１８４すなわち絶縁層１６０と重なる領域を発光部として機能させることができる。このため、発光装置１０からの発光量（又は光束）を増やすことができる。逆に発光装置１０からの発光量を増やす必要がない場合、発光装置１０の電流密度を下げることができるため、発光装置１０の劣化速度を遅くすることができる。
【００２６】
また、有機ＥＬ素子の発光色を所望の色にする方法の一つに、第１有機層１２２の発光層を構成する材料と第２有機層１２６の発光層を構成する材料とを異ならせ、第１有機層１２２の発光色と第２有機層１２６の発光色を異ならせる方法がある。この場合、発光装置１０のユーザは、第１構造物１８２の第１有機層１２２が発光した光、第１構造物１８２の第２有機層１２６が発光した光、及び第２構造物１８４の第２有機層１２６が発光した光が混ざった色を、発光装置１０の発光色と認識する。
【００２７】
一方、有機層からの発光強度（輝度）は、累積発光時間が長くなるにつれて低下するが、この低下速度は有機層の材料によって異なる。このため、互いに異なる色を発光する複数の有機層を積層した場合、累積発光時間が長くなるにつれて発光装置の発光色が変化する可能性があった。
【００２８】
例えば、第２有機層１２６の劣化速度（例えば発光強度の低下速度）は、第１有機層１２２の劣化速度よりも速い場合、発光装置１０の累積発光時間が長くなるにつれて、第２有機層１２６の輝度の初期値に対する低下率は、第１有機層１２２の輝度の初期値に対する低下率よりも大きくなりやすい。
【００２９】
これに対して本実施形態によれば、第２有機層１２６の発光面積を第１有機層１２２の発光面積よりも広げることができる。このため、第２有機層１２６の電流密度は、第１有機層１２２の電流密度と比較して小さくなる。従って、第２有機層１２６の劣化速度を遅くすることができる。その結果、累積発光時間が長くなっても発光装置１０の発光色は変化しにくい。
【００３０】
なお、このような場合としては、例えば、第２有機層１２６の発光色が第１有機層１２２の発光色よりも短波長側である場合がある。例えば、第１有機層１２２の発光色はオレンジ（同じ発光層に黄色と赤の素子が混在している）であり、第２有機層１２６の発光色は青色の場合である。この場合、第１構造物１８２が発光した光の色は白になる。一方、第２構造物１８４が発光した光の色は青になる。そしてユーザは、発光装置１０の発光色を白と認識する。
【実施例】
【００３１】
（実施例１）
図２は、実施例１に係る発光装置１０の構成を示す平面図である。図３は図２から第２電極１３０を取り除いた図であり、図４は図３から有機層１２０を取り除いた図である。図５は図４のＡ−Ａ断面図である。理解を助けるため、図５には有機層１２０及び第２電極１３０も示している。なお、実施形態において図１に示した断面図は、図４のＢ−Ｂ断面に対応している。ただし第１電極１１０は、発光部１４０の中で連続的に形成されていてもよい。この場合、絶縁層１６０は第１電極１１０上に形成される。
【００３２】
本実施例に係る発光装置１０は、基板１００の第１面１０２に発光部１４０を有している。発光部１４０は、第１電極１１０、有機層１２０、第２電極１３０、及び絶縁層１６０を有している。そして、有機層１２０及び絶縁層１６０は第１構造物１８２及び第２構造物１８４を構成している。第１構造物１８２及び第２構造物１８４の構成は実施形態と同様である。本図に示す例において、第１構造物１８２及び第２構造物１８４は、第１の方向（図２〜４におけるｘ方向）に繰り返し配置されている。また第１構造物１８２及び第２構造物１８４は、第１の方向に交わる方向（例えば直交する方向：図２〜４におけるｙ方向）に延在している。
【００３３】
また、第１電極１１０の縁は、絶縁層１５０によって覆われている。絶縁層１５０は例えばポリイミドなどの樹脂材料によって形成されており、第１電極１１０のうち発光部１４０の発光領域となる部分を囲んでいる。絶縁層１５０を設けることにより、第１電極１１０の縁において第１電極１１０と第２電極１３０が短絡することを抑制できる。絶縁層１５０は、絶縁層１６０よりも高く形成されている。このため、有機層１２０の電荷発生層１２４及び第２有機層１２６が絶縁層１５０を乗り越えることを抑制できる。
【００３４】
また、発光装置１０は、第１端子１１２及び第２端子１３２を有している。第１端子１１２は第１電極１１０に接続しており、第２端子１３２は第２電極１３０に接続している。第１端子１１２及び第２端子１３２は、例えば、第１電極１１０と同一の材料で形成された層を有している。なお、第１端子１１２と第１電極１１０の間には引出配線が設けられていてもよい。また、第２端子１３２と第２電極１３０の間にも引出配線が設けられていてもよい。
【００３５】
本実施例においても、発光装置１０は第１構造物１８２及び第２構造物１８４を有している。このため、実施形態と同様に、発光装置１０からの発光量（又は光束）を増やすことができる。逆に発光装置１０からの発光量を増やす必要がない場合、発光装置１０の電流密度を下げることができるため、発光装置１０の劣化速度を遅くすることができる。
【００３６】
また、第１有機層１２２の発光層を構成する材料と第２有機層１２６の発光層を構成する材料とを異ならせ、第１有機層１２２の発光色と第２有機層１２６の発光色を異ならせた場合において、実施形態と同様に、累積発光時間が長くなっても発光装置１０の発光色は変化しにくい。
【００３７】
また発光装置１０は、第１構造物１８２及び第２構造物１８４を繰り返し有している。このため、発光装置１０の発光面積を広げることができる。
【００３８】
（実施例２）
図６は、実施例２に係る発光装置１０の平面図であり、実施例１における図４に対応している。図７は図６のＢ−Ｂ断面図であり、図８は図６のＣ−Ｃ断面図である。なお図６のＡ−Ａ断面図は、実施例１の図５に示したとおりである。本実施例に係る発光装置１０は、以下の点を除いて、実施例１に係る発光装置１０と同様の構成である。
【００３９】
まず、第１電極１１０は発光部１４０の中で連続的に形成されている。そして、絶縁層１６０は第１電極１１０上に形成されている。
【００４０】
また、第１電極１１０上には導電層１７０が形成されている。導電層１７０は第１電極１１０の補助電極として機能し、第１電極１１０よりも低抵抗な材料、例えば金属によって形成されている。導電層１７０は遮光性を有している。導電層１７０は多層構造を有していてもよい。この場合、導電層１７０は、例えば、Ｍｏ又はＭｏ合金などの金属層である第１導電層、Ａｌ又はＡｌ合金などの金属層である第２導電層、及び、Ｍｏ又はＭｏ合金などの金属層である第３導電層をこの順に積層した構成を有している。第２導電層の厚さは、例えば５０ｎｍ以上１０００ｎｍ以下である。好ましくは１００ｎｍ以下である。また第１導電層及び第３導電層は、第２導電層よりも薄く、例えば３０ｎｍ以下、好ましくは２５ｎｍ以下である。導電層１７０の幅は、例えば１μｍ以上１５０μｍ以下である。そして、導電層１７０は絶縁層１６０によって覆われている。言い換えると、導電層１７０は第１構造物１８２と重なっている。
【００４１】
図９は、導電層１７０の縁から絶縁層１６０の縁までの距離ｄと、第２構造物１８４と重なる領域における発光装置１０の輝度の関係を測定した結果を示している。この測定において、距離ｄが３００μｍのときの輝度を１００％としている。距離ｄが１５μｍの場合、光の輝度は１４％である。そして距離ｄが３０μｍのときの輝度は２５％であり、距離ｄが７０μｍのときの輝度は５０％である。また、距離ｄが１３０μｍのときの輝度は７０％である。このように、距離ｄが１５μｍ以上になると、第２構造物１８４と重なる領域における発光装置１０の輝度を確保することができる。なお、距離は３００μｍ以下であるのが好ましい。このようにすると、第２構造物１８４の幅を必要以上に広くしなくて済む。
【００４２】
以上、本実施例によっても、実施例１と同様に、発光装置１０からの発光量（又は光束）を増やすことができる。逆に発光装置１０からの発光量を増やす必要がない場合、発光装置１０の電流密度を下げることができるため、発光装置１０の劣化速度を遅くすることができる。また、第１有機層１２２の発光層を構成する材料と第２有機層１２６の発光層を構成する材料とを異ならせ、第１有機層１２２の発光色と第２有機層１２６の発光色を異ならせた場合において、実施形態と同様に、累積発光時間が長くなっても発光装置１０の発光色は変化しにくい。
【００４３】
また、第１構造物１８２及び第２構造物１８４を繰り返し有しているため、発光装置１０の発光面積を広げることができる。さらに、絶縁層１６０と重なる領域に導電層１７０を設けたため、第１電極１１０の見かけ上の抵抗を低くすることができる。このため、発光装置１０の輝度に面内分布が生じることを抑制できる。
【００４４】
（実施例３）
図１０は、実施例３に係る発光装置１０の平面図であり、実施例２における図６に対応している。図１１は、図１０のＢ−Ｂ断面図である。本実施例に係る発光装置１０は、絶縁層１５０が絶縁層１６０と同一工程で形成されている点を除いて、実施例２に係る発光装置１０と同様の構成である。
【００４５】
詳細には、絶縁層１５０は絶縁層１６０と一体になっている。そして絶縁層１５０の高さは、絶縁層１６０の高さとほぼ同様である。このため、有機層１２０の少なくとも電荷発生層１２４及び第２有機層１２６は、絶縁層１５０の上面にも形成される。
【００４６】
本実施例によっても、実施形態と同様に、発光装置１０からの発光量（又は光束）を増やすことができる。逆に発光装置１０からの発光量を増やす必要がない場合、発光装置１０の電流密度を下げることができるため、発光装置１０の劣化速度を遅くすることができる。また、第１有機層１２２の発光層を構成する材料と第２有機層１２６の発光層を構成する材料とを異ならせ、第１有機層１２２の発光色と第２有機層１２６の発光色を異ならせた場合において、実施形態と同様に、累積発光時間が長くなっても発光装置１０の発光色は変化しにくい。
【００４７】
また、実施例２と同様に、発光装置１０の発光面積を広げることができる。さらに、発光装置１０の輝度に分布が生じることを抑制できる。
【００４８】
（参考例）
図１２は、参考例に係る発光装置１０の構成を示す断面図であり、実施形態における図１に対応している。本参考例に係る発光装置１０は、以下の点を除いて、実施形態に係る発光装置１０と同様の構成を有している。
【００４９】
まず、絶縁層１６０の側面１６２はテーパを有している。そして、少なくとも第１有機層１２２及び電荷発生層１２４は、絶縁層１６０の上面には形成されていない。本図に示す例では、第２有機層１２６も絶縁層１６０の上面には形成されていない。
【００５０】
本参考例によれば、絶縁層１６０の側面１６２はテーパを有しているため、電荷発生層１２４が絶縁層１６０の上面に形成されることを抑制できる。このため、絶縁層１６０の上面において有機層を発光させたくない場合、この発光を抑制できる。
【００５１】
なお、上述した実施例１〜３において、発光装置１０は本参考例と同様の構成を有していてもよい。
【００５２】
以上、図面を参照して実施形態、実施例、及び参考例について述べたが、これらは発光装置の例示であり、上記以外の様々な構成を採用することもできる。
【符号の説明】
【００５３】
１０ 発光装置
１００ 基板
１１０ 第１電極
１２０ 有機層
１２２ 第１有機層
１２４ 電荷発生層
１２６ 第２有機層
１３０ 第２電極
１６０ 絶縁層
１７０ 導電層
１８２ 第１構造物
１８４ 第２構造物
【図１】
2020061384.tif 000003
【図２】
2020061384.tif 000004
【図３】
2020061384.tif 000005
【図４】
2020061384.tif 000006
【図５】
2020061384.tif 000007
【図６】
2020061384.tif 000008
【図７】
2020061384.tif 000009
【図８】
2020061384.tif 000010
【図９】
2020061384.tif 000011
【図１０】
2020061384.tif 000012
【図１１】
2020061384.tif 000013
【図１２】
2020061384.tif 000014